(57)【特許請求の範囲】
【請求項１】
建設機械の所定の箇所に設けられたフィルタ取付部にフィルタを着脱自在に取り付けるためのフィルタ取付構造において、
弾性を有する取っ手が前記フィルタの側面に固定されており、
前記フィルタ取付部のうちの前記フィルタの側面と対向する面には、前記取っ手が係合する被係合部が設けられており、
前記取っ手は、
前記フィルタの側面に固定される固定部と、
前記固定部から延在し、前記被係合部に係合する突起形状の係合部と、
前記係合部から延在し、前記フィルタの側面と前記係合部側の部分との間に隙間が設けられてなる把持部と、を備えており、
前記フィルタ取付部に前記フィルタを取り付ける際は、前記取っ手の弾性回復力により、前記係合部を前記被係合部に係合させ、
前記フィルタ取付部から前記フィルタを取り外す際は、前記固定部を支点にして前記弾性回復力に抗して前記把持部をフィルタ側に回動することで、前記係合部と前記被係合部との係合を解除することを特徴とする、建設機械のフィルタ取付構造。
【請求項２】
請求項１に記載の建設機械のフィルタ取付構造において、
前記把持部の先端部が、前記係合部側から当該把持部側へ向かう方向において前記フィルタから離れる方向に斜めに延びていることを特徴とする、建設機械のフィルタ取付構造。
【請求項３】
請求項１または２に記載の建設機械のフィルタ取付構造において、
前記係合部の前記固定部側の部分が、前記固定部側から当該係合部側へ向かう方向において前記フィルタから離れる方向に斜めに傾斜していることを特徴とする、建設機械のフィルタ取付構造。
【請求項４】
請求項１〜３のいずれかに記載の建設機械のフィルタ取付構造において、
前記係合部の前記把持部側の部分が、当該係合部側から前記把持部側へ向かう方向において前記フィルタに近づく方向に斜めに傾斜していることを特徴とする、建設機械のフィルタ取付構造。
【発明の詳細な説明】
【技術分野】
【０００１】
本発明は、建設機械の所定の箇所に設けられたフィルタ取付部にフィルタを着脱自在に取り付けるためのフィルタ取付構造に関する。
【背景技術】
【０００２】
建設機械のフィルタ取付構造に関する技術として、例えば特許文献１に記載されたものがある。特許文献１に記載のフィルタ取付構造は、フィルタの一端部側面に板バネからなる弾性体を配置するとともに、フィルタの他端部側面にへの字形の係合爪を固定している。また、この係合爪が係合する係合穴をフィルタ取付部に設けている。
【０００３】
フィルタ取付時、まず、板バネからなる弾性体にフィルタの端部を当て、当該弾性体を弾性変形させながらフィルタ取付部の幅方向にフィルタを押し込んでいく。その後、弾性体の弾性力（復元力）に抗しながらフィルタ取付部の厚み方向にフィルタを押し、フィルタの他端部側面に固定されている係合爪を、フィルタ取付部に設けられている係合穴に係合させる（特許文献１の例えば図２〜４参照）。
【０００４】
この構造によると、蝶ボルトなどの締結具を用いる取付構造と比較して、面倒な締結操作や位置合わせが不要となるとともに、締結具の紛失もなくなる。
【先行技術文献】
【特許文献】
【０００５】
【特許文献１】特開２００８−２０８５５１号公報
【発明の概要】
【発明が解決しようとする課題】
【０００６】
本発明は、特許文献１に記載のフィルタ取付構造をさらに改良したものである。前記したように、特許文献１に記載のフィルタ取付構造では、フィルタの一端部側面に弾性体を配置し、且つ、フィルタの他端部側面に係合爪を固定している。すなわち、フィルタの両側にフィルタ取付用の部材を配置している。また、フィルタ取付作業においては、フィルタ取付部の幅方向および厚み方向に、これらいずれの方向においても弾性体の弾性力（復元力）に抗しながらフィルタを押し込む必要がある。
【０００７】
なお、特許文献１の図７に示された実施形態では、フィルタの一端部側面のみに弾性体が配置されているのみである。しかしながら、この実施形態では、フィルタの他端部側面に係合爪が設けられていないため、フィルタ取付時、フィルタの最終の位置合わせ（微調整）が必要となっている。フィルタ取付作業においては、特許文献１に記載の他の実施形態と同様に、フィルタ取付部の幅方向および厚み方向に、これらいずれの方向においても弾性体の弾性力（復元力）に抗しながらフィルタを押し込んでいる。
【０００８】
本発明は、上記実情に鑑みてなされたものであり、その目的は、従来よりも簡易な構造で、しかも従来よりも作業性に優れた建設機械のフィルタ取付構造を提供することである。
【課題を解決するための手段】
【０００９】
本発明は、建設機械の所定の箇所に設けられたフィルタ取付部にフィルタを着脱自在に取り付けるためのフィルタ取付構造である。弾性を有する取っ手が前記フィルタの側面に固定されており、前記フィルタ取付部のうちの前記フィルタの側面と対向する面には、前記取っ手が係合する被係合部が設けられている。前記取っ手は、前記フィルタの側面に固定される固定部と、前記固定部から延在し、前記被係合部に係合する突起形状の係合部と、前記係合部から延在し、前記フィルタの側面と前記係合部側の部分との間に隙間が設けられてなる把持部と、を備えている。前記フィルタ取付部に前記フィルタを取り付ける際は、前記取っ手の弾性回復力により、前記係合部を前記被係合部に係合させる。前記フィルタ取付部から前記フィルタを取り外す際は、前記固定部を支点にして前記弾性回復力に抗して前記把持部をフィルタ側に回動することで、前記係合部と前記被係合部との係合を解除する。
【発明の効果】
【００１０】
本発明によると、従来よりも簡易で、且つ作業性にも優れた、建設機械のフィルタ取付構造とすることができる。
【図面の簡単な説明】
【００１１】
【図１】フィルタの出し入れ状況を示すための、油圧ショベルのカウンタウェイトまわりを示す斜視図である。
【図２】フィルタがダクトに取り付けられた状態を示す斜視図である。
【図３】フィルタの斜視図である。
【図４】フィルタの上面図（図４（ａ））および正面図（図４（ｂ））である。
【図５】図４（ａ）のフィルタに取っ手が取り付けられた部分の拡大図である。
【図６】ダクトの斜視図である。
【図７】フィルタの取り付け手順を示す説明図である。
【図８】フィルタの取り外し手順を示す説明図である。
【発明を実施するための形態】
【００１２】
本発明は、各種の建設機械のうち例えば油圧ショベルに適用される。また、本発明におけるフィルタは、例えば、油圧ショベルのエンジンルームに設置されたラジエータなどの冷却器の前面側（吸い込み空気流の上流側）に防塵・防虫用として取り付けられるものである。油圧ショベルの概要、油圧ショベルにおけるフィルタの取り付け位置などに関しては、特許文献１（特開２００８−２０８５５１号公報）の例えば段落０００３〜００２２を参照されたい。
【００１３】
以下、本発明を実施するための形態について図面を参照しつつ説明する。
【００１４】
図１に示すように、例えば、油圧ショベルの上部旋回体の後部に取り付けられたエンジンルーム形成用の外装体を兼ねるカウンタウェイト２１に、左右のメンテナンス口２２・２３と、これらを開閉するメンテナンスパネル２４・２５（図１中、２６は左側メンテナンスパネル２４の開閉支点となるヒンジである）が設けられ、このうち左側メンテナンス口２２からフィルタ１が出し入れされる。
【００１５】
すなわち、本実施形態におけるフィルタ１は、例えば、油圧ショベルのエンジンルーム内に着脱自在に設置されるフィルタであって、ラジエータなどの冷却器・エンジンに供給される冷却用空気に含まれる塵などを除去するためのものである。
【００１６】
図２〜６を参照しつつ本実施形態のフィルタ取付構造について説明する。なお、本実施形態では、冷却用空気をラジエータなどの冷却器に導くためのダクト２の先端にフィルタ１を取り付けているが、フィルタ１を取り付ける場所はダクト２の先端に限定されることはない。
【００１７】
（フィルタ）
フィルタ１は、フィルタ本体４の周囲にフィルタ枠５が取り付けられてなるものである。フィルタ本体４は、その表面積を大きくするために、例えば本実施形態のようにジグザグ状に形成される。また、フィルタ本体４およびフィルタ枠５は、例えば矩形とされる。このフィルタ枠５の側面５ａ（フィルタ１の側面）に、弾性を有する取っ手６が固定されている。なお、取っ手６が固定された側とは反対側のフィルタ枠５（フィルタ１）の側面には何も取り付けられていない。
【００１８】
取っ手６は、フィルタ枠５の側面５ａの中央に固定されている。なお、フィルタ枠５の側面５ａの上部または下部に取っ手６を固定してもよいし、上部および下部の両方に取っ手６を固定してもよい。さらには、取っ手６を、フィルタ枠５（フィルタ１）の幅方向の側面５ａではなく、上下方向の側面のうちのいずれか一方に固定してもよい。
【００１９】
（取っ手の詳細）
図５を参照しつつ取っ手６の詳細構造について説明する。図５に示したように、取っ手６は、フィルタ枠５の側面５ａに固定される固定部８と、固定部８から延在する山形状の係合部９と、係合部９から延在する把持部１０とから構成される。
【００２０】
取っ手６は、例えば金属の板を折り曲げて形成されるものである。人の力で弾性変形するように適宜、その板厚が選択される。なお、取っ手６の材質は樹脂であってもよい。この場合、射出成形などによって取っ手６は製作される。また、取っ手６の形状は、本実施形態のような板形状ではなく、棒形状であってもよい。
【００２１】
固定部８は、例えばリベット１２によりフィルタ枠５の側面５ａに固定される。
【００２２】
係合部９は、その固定部８側の部分９ａが、固定部８側から当該係合部９側へ向かう方向においてフィルタ枠５の側面５ａ（フィルタ１の側面）から離れる方向に斜めに傾斜するように折り曲げられて形成されている。
【００２３】
また、係合部９は、その把持部１０側の部分９ｂが、当該係合部９側から把持部１０側へ向かう方向においてフィルタ枠５の側面５ａ（フィルタ１の側面）に近づく方向に斜めに傾斜するように折り曲げられて形成されている。
【００２４】
なお、係合部９は、フィルタ枠５の側面５ａから離れる方向に突出する凸の形状（突起形状）であればよく、本実施形態の形状に限定されることはない。
【００２５】
把持部１０は、その係合部９側の部分１０ｂが、フィルタ枠５の側面５ａから所定距離、離間されている。すなわち、把持部１０の係合部９側の部分１０ｂとフィルタ枠５の側面５ａとの間に隙間Ｓが設けられている。この隙間Ｓは、フィルタ枠５の側面５ａ側に係合部９を引っ込めるために設けられたものである。
【００２６】
なお、図５に示したように、本実施形態では、係合部９と把持部１０との境界部分Ｐが、フィルタ枠５の厚み内に位置する（フィルタ枠５の端面５ｅから突出していない）が、係合部９と把持部１０との境界部分Ｐが、フィルタ枠５の端面５ｅから突出していてもよい。すなわち、係合部９と把持部１０との境界部分Ｐが、フィルタ枠５の端面５ｅ（フィルタ１の端面）から突出する態様で、把持部１０の係合部９側の部分１０ｂとフィルタ枠５の側面５ａとの間に隙間Ｓが設けられていてもよい。
【００２７】
また、把持部１０の先端部１０ａは、係合部９側から当該把持部１０側へ向かう方向においてフィルタ枠５（フィルタ１）から離れる方向に斜めに延ばされている。なお、把持部１０の先端部１０ａの向きは、本実施形態に限定されることはない。例えば、把持部１０の係合部９側の部分１０ｂからそのまままっすぐ延ばされていてもよい。
【００２８】
（ダクト）
ダクト２の先端には、フィルタ１を取り付けるためのフレーム３（フィルタ取付部）が設けられている。このフレーム３にフィルタ１が取り付けられた状態において、フレーム３のうちのフィルタ枠５の側面５ａと対向する面３ａには、取っ手６の係合部９が係合するスリット７（被係合部）が設けられている。スリット７は、細長い矩形の孔である。なお、取っ手６の係合部９が係合する被係合部は、この形状に限られることはない。例えば細長い楕円の孔であってもよい。さらには、係合部９が係合する被係合部は、貫通する細長い孔でなくてもよく、有底の凹部（例えば細長いくぼみ）であってもよい。
【００２９】
フレーム３には、空気流の上流側を向くフィルタ当接面３ｂが全周に設けられている。フィルタ当接面３ｂは、主として、空気流によってフィルタ１が外れないようにするためのものであって、フレーム３にフィルタ１が取り付けられた状態において、フィルタ当接面３ｂにフィルタ１が必ずしも当接することはない。なお、フィルタ当接面３ｂは、フィルタ１をフレーム３内に押し込む際、ガイドの役割を果たす。
【００３０】
また、フレーム３の面３ａとは反対側の側板部には、フィルタ１の引っ掛け部１１が設けられている。引っ掛け部１１は、例えば、フレーム３の側板部を９０°折り曲げて形成される。引っ掛け部１１が設けられていることで、フレーム３にフィルタ１が取り付けられた状態において、フィルタ１がフレーム３から外れにくくなる。
【００３１】
次に、図７、８を参照しつつフィルタ１の取り付け・取り外し手順について説明する。図７は、フィルタ１の取り付け手順を示す説明図であり、図８は、フィルタ１の取り外し手順を示す説明図である。
【００３２】
（取り付け手順）
ダクト２に設けられたフレーム３（フィルタ取付部）にフィルタ１を取り付ける際は、まず、フレーム３の幅方向に略沿って、取っ手６が固定された側とは反対側の端部からフィルタ１をフレーム３内に押し込む（図７（ａ））。
【００３３】
フィルタ１の端部がフレーム３の内面に当接したら、取っ手６の把持部１０の先端部１０ａを押して、取っ手６の有する弾性回復力に抗して把持部１０の係合部９側の部分１０ｂを回動させてフィルタ１のフィルタ枠５に当てる（取っ手６の固定部８を支点にして弾性回復力に抗して把持部１０をフィルタ側に回動させる）（図７（ｂ））。（これにより、次の操作で係合部９がフレーム３の側板に当たらなくなる。）
【００３４】
その後、フレーム３の厚み方向奥側に把持部１０を押して、取っ手６が固定された側のフィルタ１の端部をフレーム３内に押し込んだ後、把持部１０から手を離す。これにより、取っ手６の弾性回復力により、取っ手６の係合部９をスリット７に係合させる（図７（ｃ））。弾性回復力に抗して把持部１０をフィルタ側に回動させる回動操作と、フレーム３の厚み方向奥側へのフィルタ１の押し込み操作とは、ほぼ同時並行で行われる。これら操作により、フレーム３（フィルタ取付部）にフィルタ１が取り付けられる。
【００３５】
なお、フレーム３の厚み方向奥側へのフィルタ１の押し込み操作を行うとき、把持部１０をフィルタ側に回動させる回動操作は、必ずしも必要でない。取っ手６に設けられた係合部９は、その固定部８側の部分９ａが、固定部８側から当該係合部９側へ向かう方向においてフィルタ１の側面から離れる方向に斜めに傾斜しているため、フレーム３の厚み方向へフィルタ１を押し込むと、係合部９の固定部８側の部分９ａがフレーム３の側板に当たり、その後、弾性変形により自然に、係合部９の頂部はフィルタ１側に引っ込んでいく（これは、本実施形態のフィルタ取付構造の作用・効果の一つである）。そして、係合部９がスリット７の位置に達したら、弾性回復力により係合部９はスリット７に嵌り込む。
【００３６】
（取り外し手順）
ダクト２に設けられたフレーム３（フィルタ取付部）からフィルタ１を取り外す際は、まず、取っ手６の固定部８を支点にして弾性回復力に抗して把持部１０をフィルタ１側に回動させることで、取っ手６の係合部９とスリット７との係合を解除する（図８（ｂ））。
【００３７】
その後、フレーム３の厚み方向手前に把持部１０を引いて、取っ手６が固定された側のフィルタ１の端部をフレーム３内から引き出す（図８（ｃ））。なお、弾性回復力に抗して把持部１０をフィルタ側に回動させる回動操作と、フレーム３の厚み方向手前側へのフィルタ１の引き出し操作とは、ほぼ同時並行で行われる。その後、フレーム３の幅方向に略沿って、フィルタ１をフレーム３内から全て引き出す。これら操作により、フレーム３（フィルタ取付部）からフィルタ１は取り外される。
【００３８】
（作用・効果）
本実施形態のフィルタ取付構造は、フィルタ枠５の一側面５ａ（フィルタ１の一側面）のみに弾性を有する取っ手６を取り付けるだけで、フィルタの着脱を可能にしている。これに対して、特許文献１（特開２００８−２０８５５１号公報）記載のフィルタ取付構造は、前記したように、フィルタの一端部側面に弾性体を配置し、且つ、フィルタの他端部側面に係合爪を固定している。すなわち、本実施形態のフィルタ取付構造によると、フィルタ着脱のための部品点数を減らすことができ、すなわち、従来よりも簡易な取付構造とすることができる。これによりコストダウンを図れる。
【００３９】
また、本実施形態のフィルタ取付構造によると、フィルタ１の取り付け・取り外し作業（着脱作業）において、フレーム３（フィルタ取付部）の厚み方向にフィルタ１を移動させる（押し込みまたは引き出し）ときのみ弾性力（弾性回復力）に抗しながらフィルタ１を移動させればよい。フレーム３の幅方向にフィルタ１を移動させる（押し込みまたは引き出し）ときは、弾性力（弾性回復力）による抵抗は働かない。これに対して、特許文献１（特開２００８−２０８５５１号公報）記載のフィルタ取付構造によると、フィルタ取付部の幅方向および厚み方向に、これらいずれの方向においても弾性体の弾性力（弾性回復力）に抗しながらフィルタを移動させる（押し込みまたは引き出し）必要がある。すなわち、本実施形態のフィルタ取付構造は、簡易な取付構造というだけでなくフィルタの着脱作業性においても、特許文献１（特開２００８−２０８５５１号公報）記載の構造よりも優れている。
【００４０】
また、本実施形態では、取っ手６の把持部１０の先端部１０ａが、係合部９側から当該把持部１０側へ向かう方向においてフィルタ枠５（フィルタ１）から離れる方向に斜めに延ばされている。例えばフィルタ１の取り外し作業において、作業員は、把持部１０の先端部１０ａを握って、取っ手６が固定された側のフィルタ１の端部を手前に引き出す。このとき、把持部１０の先端部１０ａが、係合部９側から当該把持部１０側へ向かう方向においてフィルタ枠５（フィルタ１）から離れる方向に斜めに延ばされていることで、作業員は、把持部１０をフィルタ１側に回動させやすい（自然と回動させることができる）。引き出そうとする力の分力が、把持部１０をフィルタ１側に回動させる方向に作用するからである。
【００４１】
さらに、本実施形態では、取っ手６に設けられた係合部９は、その把持部１０側の部分９ｂが、当該係合部９側から把持部１０側へ向かう方向においてフィルタ枠５の側面５ａ（フィルタ１の側面）に近づく方向に斜めに傾斜させられている。この構造によると、把持部１０の先端部１０ａを握って取っ手６が固定された側のフィルタ１の端部を作業員が手前に引き出す際、スリット７（被係合部）に係合部９が引っ掛かりにくい。
【００４２】
以上、本発明の実施形態について説明したが、本発明は上述の実施の形態に限られるものではなく、特許請求の範囲に記載した限りにおいて様々に変更して実施することができるものである。
【符号の説明】
【００４３】
１：フィルタ
２：ダクト
３：フレーム（フィルタ取付部）
４：フィルタ本体
５：フィルタ枠
５ａ：フィルタ枠の側面（フィルタの側面）
６：取っ手
７：スリット（被係合部）
８：固定部
９：係合部
１０：把持部
１０ａ：先端部
Ｓ：隙間
【図１】
0005533934.tif 000002
【図２】
0005533934.tif 000003
【図３】
0005533934.tif 000004
【図４】
0005533934.tif 000005
【図５】
0005533934.tif 000006
【図６】
0005533934.tif 000007
【図７】
0005533934.tif 000008
【図８】
0005533934.tif 000009